(57)【特許請求の範囲】
【請求項１】
カードが載置される略方形の第１凹部を有する平板状のトレイと、
このトレイが進退可能な第２凹部を有する平板状のハウジングと、
このハウジングの第２凹部を覆うカバー板と、
前記ハウジングの第２凹部に配列され、前記カードの一方の面に設けた接続端子と電気的に接続する複数の片持ち状のコンタクトと、を備え、
前記トレイの第１凹部は、
当該トレイが前記ハウジングの第２凹部に進出したときに、前記カードの後端縁が当接して前記カードの移動を阻止する後縁と、
前記トレイが前記ハウジングの第２凹部から後退したときに、前記カードの前端縁が部分的に当接して前記カードの移動を阻止する前縁と、
前記後縁から前記前縁に延びて、前記カードの一方の側縁を案内する第１内壁を設ける第１支持アームと、
前記後縁から前記前縁に向けて延び、前記カードの他方の側縁を部分的に案内する第２内壁を設ける第２支持アームと、
複数の前記コンタクトに当接しないように、前記前縁及び前記第２支持アームの大部分を含んで矩形状に切り欠かれた逃げ部と、を有し、
前記ハウジングの第２凹部は、
一方の側壁に形成され、前記第１支持アームの外側壁を案内する第１案内壁と、
他方の側壁に形成され、前記逃げ部に露出された前記カードの他方の側縁を案内する第２案内壁と、を有するトレイタイプのカード用コネクタ。
【請求項２】
前記トレイは、前記第１凹部の底面と略平行に突出し、前記カードの他方の面に当接可能な一組の対向する鉤状の爪部を前記第１支持アーム及び前記第２支持アームの後半部に有する請求項１記載のトレイタイプのカード用コネクタ。
【請求項３】
前記カードは、誤装着を防止するために、斜めに切り欠かれた斜辺部を後端縁側の一方の隅部に有し、
前記トレイは、前記接続端子を設ける前記カードの一方の面が前記第１凹部の底面と対向するように、前記斜辺部に係合して前記カードの装着の向きを規定する斜辺壁を前記第１凹部の後縁の隅部に有する請求項１又は２記載のトレイタイプのカード用コネクタ。
【請求項４】
前記トレイは、前記斜辺壁の近傍に配置され、後壁から隆起するように部分的に突出して、前記第２凹部から引き出し容易な引出用突部を有する請求項３記載のトレイタイプのカード用コネクタ。
【発明の詳細な説明】
【技術分野】
【０００１】
本発明は、トレイタイプのカード用コネクタに関する。特に、ＳＩＭ（Ｓｕｂｓｃｒｉｂｅｒ  Ｉｄｅｎｔｉｔｙ  Ｍｏｄｕｌｅ：加入者識別モジュール）カードなどのメモリカードと電気的に接続するトレイタイプのコネクタの構造に関する。
【背景技術】
【０００２】
カード型の記憶装置であるメモリカードは、記憶媒体としてフラッシュメモリを採用している。メモリカードは非常に小型であり、データの読み書きにほとんど電力を消費しないため、例えば、携帯電話機やＰＤＡ（Ｐｅｒｓｏｎａｌ  Ｄｉｇｉｔａｌ  Ａｓｓｉｓｔａｎｃｅ）に代表される携帯型情報機器用の記録メディアとして普及している。
【０００３】
近年においては、携帯電話機には、情報管理用のメモリカードと記録用のメモリカードとが搭載されている。前者の情報管理用のメモリカードは、例えばＳＩＭカードであり、後者の記録用のメモリカードは、例えばＳＤ（Ｓｅｃｕｒｅ  Ｄｉｇｉｔａｌ）カードである。
【０００４】
ＳＩＭカードには、携帯電話会社と契約した契約者情報が記録されている。そして、ＳＩＭカードを携帯電話機に差し込むと、利用者を識別できる。つまり、ＳＩＭカードを差し替えることにより、同じ契約者扱いで機種の異なる携帯電話機を利用できる。
【０００５】
一般に、ＳＩＭカードの一方の面上には、複数の接続端子が露出している。そして、ＳＩＭカード用コネクタに備わるベローズ形のコンタクトがこれらの接続端子を付勢することにより、ＳＩＭカードとカード用コネクタとが電気的に接続している。
【０００６】
前述したカード用コネクタとしては、バッテリを内部に収納するための収納凹部を背面側に有する携帯電話機の内部に収納され、ＳＩＭカードを載置するトレイの一部が前記収納凹部に突出して、トレイと共にＳＩＭカードをスライド自在に本体に着脱する、携帯電話機に好適なトレイタイプのカード用コネクタが開示されている（例えば、特許文献１参照）。
【０００７】
特許文献１によるトレイタイプのカード用コネクタは、トレイを低背化した場合であっても、トレイを円滑に操作でき、又、トレイが本体から安易に脱落することを抑止でき、更に、トレイの表裏の向きを逆にして本体に挿入することを防止できる、としている。
【先行技術文献】
【特許文献】
【０００８】
【特許文献１】特開２０１０−１７０７０７号公報
【発明の概要】
【発明が解決しようとする課題】
【０００９】
図８は、特許文献１によるトレイタイプのカード用コネクタの構成を示す斜視分解組立図である。本願の図８は、特許文献１の図７に相当している。図８を参照すると、特許文献１によるトレイタイプのカード用コネクタ（以下、コネクタと略称する）１００は、平板状のハウジング７、カバー板８、及びトレイ９を備えている。
【００１０】
図８を参照すると、ハウジング７は、複数の片持ち状のコンタクト７ｃを底部に配置している。カバー板８は、ハウジング７に設けた凹部７１を覆っている。ハウジング７とカバー板８は、一体に組み立てられて、コネクタ１００の本体を構成している。そして、この本体の一端部側に設けた開口から、トレイ９を本体の内部に挿入できる。
【００１１】
図８を参照すると、トレイ９は、カード１を載置可能な凹部９１を有している。カード１を凹部９１に載置して、ハウジング７の凹部７１に挿入すると、カード１の一方の面に露出した接続端子１ｔをコンタクト７ｃに接続（接触）できる。
【００１２】
図８を参照すると、トレイ９は、接続端子１ｔとコンタクト７ｃが接続できるように、大きく開口した切り欠き部９０を凹部９１の底部に形成している。又、トレイ９は、一方の端部（後端部）から他方の端部（前端部）に向けて、略平行に延びる一対の支持アーム９ａ・９ｂを有している。そして、一対の支持アーム９ａ・９ｂに形成された内壁にカード１の両側縁１ａ・１ｂが案内されて、カード１の姿勢が維持される。
【００１３】
又、図８を参照すると、トレイ９は、一対の支持アーム９ａ・９ｂと略直交するように形成された、後壁９ｃと一対の前壁９ｄ・９ｄを有している。トレイ９をハウジング７の凹部７１に挿入すると、カード１の後端縁１ｃが後壁９ｃに当接して、トレイ９に対するカード１の移動が阻止される。一方、トレイ９をハウジング７の凹部７１から引き抜くと、カード１の前端縁１ｄが一対の前壁９ｄ・９ｄに当接して、トレイ９に対するカード１の移動が阻止される。
【００１４】
図８を参照すると、トレイ９の後端部は、一対の支持アーム９ａ・９ｂの上面より僅かに高い一対の段差９２・９２を形成している。トレイ９をハウジング７の凹部７１に挿入すると、これらの段差９２・９２がカバー板８の端縁に当接して、トレイ９の挿入深さが規定されると共に、カード１及びトレイ９の一部（後端部）を本体から突出できる。
【００１５】
図８を参照すると、トレイ９は、矩形状に切り欠かれた切り欠き部９ｅを後端部の一方の隅部に有している。トレイ９をコネクタ１００から引き出した状態において、切り欠き部９ｅを利用して、凹部９１に載置されたカード１を指などで摘むことができ、カード１をトレイ９から容易に取り出すことができる。
【００１６】
又、図８を参照すると、トレイ９は、斜めに切り欠かれた斜辺壁９ｆを後端部の他方の隅部に有している。斜辺壁９ｆは、カード１の隅部に面取りされるように斜めに切り欠かれた斜辺部１ｆに対応しており、カード１を凹部９１に載置するときに、誤挿入を防止できる。
【００１７】
更に、図８を参照すると、トレイ９は、斜辺壁９ｆに隣接して、凹部９１とは区画された直角三角形状の引出用凹部９ｇを設けている。ペンなどの棒状部材の端部を引出用凹部９ｇに係合して、トレイ９をコネクタ１００から引き出すことができる。
【００１８】
図８に示された、従来のコネクタ１００は、その高さ方向に実装高さを低背化できる。しかし、従来のコネクタ１００は、トレイ９が一対の支持アーム９ａ・９ｂでカード１の両側縁１ａ・１ｂを保持しているので、コネクタ１００の実装面積を縮小することが困難であった。そして、これに起因して、例えば、携帯電話機の小型化を困難としていた。実装面積を縮小することが可能なトレイタイプのカード用コネクタが求められている。
【００１９】
又、従来のコネクタ１００は、トレイ９の凹部９１にカード１を載置しているだけだったので、カード１と共にトレイ９をコネクタ１００の本体から取り出すと、カード１が脱落し易いという問題があった。トレイからカードが脱落し難いトレイタイプのカード用コネクタが求められている。そして、以上のことが本発明の課題といってよい。
【００２０】
本発明は、このような課題に鑑みてなされたものであり、実装面積を縮小でき、トレイからカードが脱落し難いトレイタイプのカード用コネクタを提供することを目的とする。
【課題を解決するための手段】
【００２１】
本発明者らは、カードが載置されるトレイの前半部は、片側の支持アームのみで保持すると共に、トレイの後半部には、カードの脱落を防止すために、一対の鉤状の爪部を設けることにより、上記の課題が解決できることを見出し、これに基づいて、以下のような新たなトレイタイプのカード用コネクタを発明するに至った。
【００２２】
（１）  カードが載置される略方形の第１凹部を有する平板状のトレイと、このトレイが進退可能な第２凹部を有する平板状のハウジングと、このハウジングの第２凹部を覆うカバー板と、前記ハウジングの第２凹部に配列され、前記カードの一方の面に設けた接続端子と電気的に接続する複数の片持ち状のコンタクトと、を備え、前記トレイの第１凹部は、当該トレイが前記ハウジングの第２凹部に進出したときに、前記カードの後端縁が当接して前記カードの移動を阻止する後縁と、前記トレイが前記ハウジングの第２凹部から後退したときに、前記カードの前端縁が部分的に当接して前記カードの移動を阻止する前縁と、前記後縁から前記前縁に延びて、前記カードの一方の側縁を案内する第１内壁を設ける第１支持アームと、前記後縁から前記前縁に向けて延び、前記カードの他方の側縁を部分的に案内する第２内壁を設ける第２支持アームと、複数の前記コンタクトに当接しないように、前記前縁及び前記第２支持アームの大部分を含んで矩形状に切り欠かれた逃げ部と、を有し、前記ハウジングの第２凹部は、一方の側壁に形成され、前記第１支持アームの外側壁を案内する第１案内壁と、他方の側壁に形成され、前記逃げ部に露出された前記カードの他方の側縁を案内する第２案内壁と、を有するトレイタイプのカード用コネクタ。
【００２３】
（１）の発明によるトレイタイプのカード用コネクタは、平板状のトレイ、平板状のハウジング、カバー板、及び複数の片持ち状のコンタクトを備えている。トレイは、カードが載置される略方形の第１凹部を有している。ハウジングは、トレイが進退可能な第２凹部を有している。カバー板は、ハウジングの第２凹部を覆っている。コンタクトは、カードの一方の面に設けた接続端子とプリント基板とを電気的に接続している。
【００２４】
トレイの第１凹部は、後縁と前縁を有している。後縁は、トレイがハウジングの第２凹部に進出したときに、カードの後端縁が当接してカードの移動を阻止している。前縁は、ハウジングの第２凹部から後退したときに、カードの前端縁が部分的に当接してカードの移動を阻止している。
【００２５】
又、トレイの第１凹部は、第１支持アーム、第２支持アーム、及び逃げ部を有している。第１支持アームは、後縁から前縁に延びており、カードの一方の側縁を案内する第１内壁を設けている。第２支持アームは、後縁から前縁に向けて延びており、カードの他方の側縁を部分的に案内する第２内壁を設けている。逃げ部は、複数のコンタクトに当接しないように、前縁及び第２支持アームの大部分を含んで矩形状に切り欠かれている。
【００２６】
一方、ハウジングの第２凹部は、第１案内壁と第２案内壁を有している。第１案内壁は、第２凹部の一方の側壁に形成され、第１支持アームの外側壁を案内できる。第２案内壁は、第２凹部の他方の側壁に形成され、逃げ部に露出されたカードの他方の側縁を案内できる。
【００２７】
トレイは、厚さ方向に曲げ変形（たわみ）が容易な弾性部材からなることが好ましく、絶縁性を有する合成樹脂を成形して、所望の形状のトレイを得てもよく、導電性を有する金属板を加工して、所望の形状のトレイを得てもよい。
【００２８】
ハウジングは、絶縁性を有している。絶縁性のハウジングとは、非導電性の材料からなるハウジングのことであってよく、合成樹脂を成形して、所望の形状の絶縁性のハウジングを得ることができる。
【００２９】
ハウジングには、略平行に延び、一対の対向する側壁を設けることが好ましく、これらの側壁で囲まれた空間をトレイが進退可能な第２凹部とすることができる。トレイの前部に当接して、トレイの進出を停止させる停止壁を第２凹部に設けてもよく、この停止壁をカバー板に設けてもよい。第２凹部にトレイが進退するとは、トレイにカードを載置して、このトレイをカードと共にハウジングに進出、又はハウジングから後退できることを意味している。
【００３０】
ハウジングは、プリント基板の表面に実装されることが好ましく、このカード用コネクタを表面実装形のコネクタとすることができる。プリント基板は、硬質のリジッド基板を含み、片面のみにパターンがある片面基板を含むことができ、両面にパターンがある両面基板を含むことができ、絶縁体とパターンを積み重ねた多層基板を含むことができる。
【００３１】
又、ハウジングは、プリント基板の端部に配置することが好ましく、このカード用コネクタは、プリント基板に対して、コネクタとカードの結合方向が水平になるように取り付ける、水平取付形コネクタであることが好ましい。水平取付形コネクタは、サイドコネクタとも呼ばれ、プリント基板への実装高さを低くできることから、薄型化が求められる携帯型情報機器に搭載するのに適している。
【００３２】
カバー板は、導電性の金属板からなることが好ましく、展開された金属を成形して所望の形状の導電性のカバー板を得ることができる。カバー板は、カードを包囲して不要な電磁波から防護するシールド板として機能でき、第２凹部を覆って、カード用コネクタの外殻を構成する導電性のシェルとして機能することもできる。
【００３３】
カードの一方の面とは、接続端子となる区画されたパターンが露出している面を示し、コンタクトに付勢されたカード及びトレイが板厚方向の移動をカバー板に規制されて、コンタクトに所定の接触圧を得させることができる。
【００３４】
コンタクトは導電性を有しており、導電性の金属板を打ち抜き加工又は折り曲げ加工して、所望の形状の導電性のコンタクトを得ることができる。コンタクトは加工の容易性や、ばね特性、導電性などを考慮すれば、例えば、銅合金が好ましく用いられるが、銅合金に限定される訳ではない。
【００３５】
コンタクトは、ベローズ形コンタクト、又はカンチレバーコンタクトと呼ばれる、片持ち状の板ばねからなっている。コンタクトは、ハウジングに固定される固定片を有し、この固定片は、ハウジングに圧入される形態を含み、この固定片は、ハウジングにモールドされる一体成形の形態を含むことができる。固定片には、プリント基板にハンダ接合されるリード部を形成することが好ましい。
【００３６】
又、コンタクトは、固定片から上り傾斜するように延びる弾性片を有している。そして、弾性斜片は、カードの接続端子に接触する接点を頂き部に設けている。トレイをハウジングに進出させると、カードに押されて弾性斜片が傾倒し、弾性斜片の反力（弾性復帰力）で接点が所定の接触圧をカードの接続端子に付与することができる。
【００３７】
（１）の発明によるトレイタイプのカード用コネクタは、従来のトレイが一対の支持アームでカードを保持し、一対の支持アームの外壁がハウジングの凹部の内壁に案内されていたのに対し、一方の支持アームでカードを保持し、他方の支持アームを逃げ部で実質的に削除し、逃げ部に露出されたカードの他方の側縁を第２案内壁で案内する構成としたので、ハウジングの幅を縮小できる。つまり、コネクタの実装面積を縮小できる。
【００３８】
（２）  前記トレイは、前記第１凹部の底面と略平行に突出し、前記カードの他方の面に当接可能な一組の対向する鉤状の爪部を前記第１支持アーム及び前記第２支持アームの後半部に有する（１）記載のトレイタイプのカード用コネクタ。
【００３９】
（２）の発明によるトレイタイプのカード用コネクタは、カードの他方の面に当接可能な一組の対向する鉤状の爪部を第１支持アーム及び第２支持アームの後半部に有するので、カードと共にトレイをコネクタの本体から取り出しても、カードが脱落することを防止できる。
【００４０】
（３）  前記カードは、誤装着を防止するために、斜めに切り欠かれた斜辺部を後端縁側の一方の隅部に有し、前記トレイは、前記接続端子を設ける前記カードの一方の面が前記第１凹部の底面と対向するように、前記斜辺部に係合して前記カードの装着の向きを規定する斜辺壁を前記第１凹部の後縁の隅部に有する（１）又は（２）記載のトレイタイプのカード用コネクタ。
【００４１】
（３）の発明によるトレイタイプのカード用コネクタは、接続端子を設けるカードの一方の面がトレイの第１凹部の底面と対向するように配置される、いわゆる、ノーマルタイプのカード用コネクタにおいて、カードの誤装着を防止できる。
【００４２】
トレイは、接続端子を設けるカードの一方の面が第１凹部の底面と反対側に配置されるように、斜辺部に係合してカードの装着の向きを規定する斜辺壁を第１凹部の後縁の隅部に有するように構成してもよく、接続端子を設けるカードの一方の面がトレイの第１凹部の底面と反対側に配置される、いわゆる、リバースタイプのカード用コネクタにおいて、カードの誤装着を防止できる。
【００４３】
（４）  前記トレイは、前記斜辺壁の近傍に配置され、後壁から隆起するように部分的に突出して、前記第２凹部から引き出し容易な引出用突部を有する（３）記載のトレイタイプのカード用コネクタ。
【００４４】
（４）の発明によるトレイタイプのカード用コネクタは、指先などを引出用突部に係止して、カードと共にトレイをコネクタの本体から容易に引き出すことができる。
【発明の効果】
【００４５】
本発明によるトレイタイプのカード用コネクタは、他方の支持アームを逃げ部で実質的に削除し、逃げ部に露出されたカードの他方の側縁を第２案内壁で案内する構成としたので、コネクタの実装面積を幅方向に縮小できる。
【００４６】
又、本発明によるトレイタイプのカード用コネクタは、カードの他方の面に当接可能な一組の対向する鉤状の爪部を第１支持アーム及び第２支持アームの後半部に有するので、カードと共にトレイをコネクタの本体から取り出しても、カードが脱落することを防止できる。
【図面の簡単な説明】
【００４７】
【図１】本発明の一実施形態によるトレイタイプのカード用コネクタの構成を示す斜視図である。
【図２】前記実施形態によるトレイタイプのカード用コネクタに備わるトレイの外観を示す斜視図である。
【図３】前記実施形態によるトレイタイプのカード用コネクタの構成を示す斜視図であり、トレイが引き出された状態図である。
【図４】前記実施形態によるトレイタイプのカード用コネクタの構成を示す斜視図であり、トレイが挿入された状態を下面側から観ている。
【図５】前記実施形態によるトレイタイプのカード用コネクタの本体の構成を示す斜視分解組立図であり、トレイの図示を省略している。
【図６】前記実施形態によるトレイタイプのカード用コネクタの本体の構成を示す図であり、図６（Ａ）は、本体の平面図、図６（Ｂ）は、本体の正面図、図６（Ｃ）は、本体の右側面図、図６（Ｄ）は、本体の下面図、図６（Ｅ）は、本体の左側面図である。
【図７】前記実施形態によるトレイタイプのカード用コネクタに備わるトレイの構成を示す図であり、図７（Ａ）は、トレイの平面図、図７（Ｂ）は、トレイの正面図、図７（Ｃ）は、トレイの背面図、図７（Ｄ）は、トレイの右側面図、図７（Ｅ）は、トレイの左側面図、図７（Ｅ）は、図７（Ａ）のＡ−Ａ矢視断面図である。
【図８】従来技術によるトレイタイプのカード用コネクタの構成を示す斜視分解組立図である。
【発明を実施するための形態】
【００４８】
以下、図面を参照して本発明を実施するための形態を説明する。
【００４９】
［トレイタイプのカード用コネクタの構成］
最初に、本発明の一実施形態によるトレイタイプのカード用コネクタの構成を説明する。図１は、本発明の一実施形態によるトレイタイプのカード用コネクタの構成を示す斜視図である。図２は、前記実施形態によるトレイタイプのカード用コネクタに備わるトレイの外観を示す斜視図である。図３は、前記実施形態によるトレイタイプのカード用コネクタの構成を示す斜視図であり、トレイが引き出された状態図である。
【００５０】
又、図４は、前記実施形態によるトレイタイプのカード用コネクタの構成を示す斜視図であり、トレイが挿入された状態を下面側から観ている。図５は、前記実施形態によるトレイタイプのカード用コネクタの本体の構成を示す斜視分解組立図であり、トレイの図示を省略している。図６は、前記実施形態によるトレイタイプのカード用コネクタの本体の構成を示す図であり、図６（Ａ）は、本体の平面図、図６（Ｂ）は、本体の正面図、図６（Ｃ）は、本体の右側面図、図６（Ｄ）は、本体の下面図、図６（Ｅ）は、本体の左側面図である。
【００５１】
更に、図７は、前記実施形態によるトレイタイプのカード用コネクタに備わるトレイの構成を示す図であり、図７（Ａ）は、トレイの平面図、図７（Ｂ）は、トレイの正面図、図７（Ｃ）は、トレイの背面図、図７（Ｄ）は、トレイの右側面図、図７（Ｅ）は、トレイの左側面図、図７（Ｅ）は、図７（Ａ）のＡ−Ａ矢視断面図である。
【００５２】
図１から図４を参照すると、本発明の一実施形態によるトレイタイプのカード用コネクタ（以下、コネクタと略称する）１０は、平板状のトレイ２、平板状のハウジング３、及びカバー板４を備えている。
【００５３】
又、図５又は図６を参照すると、コネクタ１０は、ハウジング３の前列に配置された三つの片持ち状のコンタクト５１、及びハウジング３の後列に配置された三つの片持ち状のコンタクト５２を備えている。これらのコンタクト５１・５２は、カード１の一方の面１１に設けた接続端子１ｔとプリント基板１ｐとを電気的に接続している（図１参照）。
【００５４】
図１から図３及び図５を参照すると、トレイ２は、カード１が載置される略方形の第１凹部２１を有している。ハウジング３は、プリント基板１ｐの端部に配置されている。又、ハウジング３は、トレイ２が進退可能な第２凹部３２を有している。カバー板４は、ハウジング３の第２凹部３２を覆っている。
【００５５】
図１から図３及び図７を参照すると、トレイ２の第１凹部２１は、後縁２１ａと部分的に形成された前縁２１ｂを有している。後縁２１ａは、トレイ２がハウジング３の内部に進出したときに、カード１の後端縁１ｃが当接して、カード１の移動を阻止している。前縁２１ｂは、トレイ２がハウジング３から後退したときに、カード１の前端縁１ｄが部分的に当接して、カード１の移動を阻止している。
【００５６】
又、図１から図３及び図７を参照すると、トレイ２の第１凹部２１は、第１支持アーム２２、第２支持アーム２３、及び逃げ部２４を有している。第１支持アーム２２は、後縁２１ａから前縁２１ｂに延びており、カード１の一方の側縁１ａを案内する第１内壁２２ａを設けている。第２支持アーム２３は、後縁２１ａから前縁２１ｂに向けて延びており、カード１の他方の側縁１ｂを部分的に案内する第２内壁２３ｂを設けている。逃げ部２４は、複数のコンタクト５１・５２に当接しないように、前縁２１ｂ及び第２支持アーム２３の大部分を含んで矩形状に切り欠かれている。
【００５７】
一方、図５を参照すると、ハウジング３の第２凹部３２は、第１案内壁３１ａと第２案内壁３１ｂを有している。第１案内壁３１ａは、第２凹部３２の一方の側壁３１に形成され、第１支持アーム２２の外側壁２２１を案内できる。第２案内壁３１ｂは、第２凹部３２の他方の側壁３１に形成され、逃げ部２４に露出されたカード１の他方の側縁１ｂを案内できる。
【００５８】
図１から図３及び図７を参照すると、トレイ２は、一組の対向する鉤状の爪部２ａ・２ａを第１支持アーム２２及び第２支持アーム２３の後半部に有している。これらの爪部２ａ・２ａは、第１凹部２１の底面と略平行に突出している。又、これらの爪部２ａ・２ａは、カード１の他方の面１２に当接可能となっている。そして、これらの爪部２ａ・２ａは、カード１と共にトレイ２をコネクタ１０の本体１０Ｂから取り出しても、カード１が脱落することを防止できる。
【００５９】
図１を参照すると、カード１は、誤装着を防止するために、斜めに切り欠かれた斜辺部１ｆを後端縁１ｃ側の一方の隅部に有している。一方、図１から図３及び図７を参照すると、トレイ２は、斜辺壁２ｂを第１凹部２１の後縁２１ａの隅部に有している。斜辺壁２ｂは、斜辺部１ｆに係合して、接続端子１ｔを設けるカード１の一方の面１１が第１凹部２１の底面と対向するように、カード１の装着の向きを規定できる。
【００６０】
図１から図４及び図７を参照すると、トレイ２は、斜辺壁２ｂの近傍に配置された引出用突部２ｃを有している。引出用突部２ｃは、トレイ２の後壁から隆起するように部分的に突出している。引出用突部２ｃに指先などを係合して、ハウジング３の第２凹部３２（図５参照）からトレイ２を容易に引き出すことができる。
【００６１】
又、図１から図４及び図７を参照すると、第１支持アーム２２の外側壁２２１には、段差２２ｄを形成している。一方、第２支持アーム２３は、逃げ部２４により切り欠かれた端面２３ｄを形成している。トレイ２をハウジング３の内部に進出させると、段差２２ｄ及び端面２３ｄがハウジング３の両翼に当接して、トレイ２の押し込み深さを規定することができる。
【００６２】
（カード用コネクタの本体の構成）
次に、実施形態によるコネクタ１０の本体１０Ｂの構成を説明する。図５又は図６を参照すると、本体１０Ｂは、ハウジング３、カバー板４、及び複数のコンタクト５１・５２で構成している。
【００６３】
図１を参照すると、本体１０Ｂは、プリント基板１ｐの一方の面１１ｐに実装している。ハウジング３は、プリント基板１ｐの一方の面１１ｐに実装されており、実施形態によるコネクタ１０を表面実装形のコネクタとしている。又、実施形態によるコネクタ１０は、プリント基板１ｐに対して、本体１０Ｂとカード１の結合方向が水平になるように取り付ける、水平取付形コネクタとしている。そして、カバー板４で囲われた開口（スロット）からカード１を載置したトレイ２を挿入できる。
【００６４】
図５又は図６を参照すると、カバー板４は、第２凹部３２と対向する面積の大きい主面板４０を有している。又、カバー板４は、主面板４０の両翼を略直角に折り曲げた一対の対向する折り曲げ片４１・４１を有している。
【００６５】
図５又は図６を参照すると、一対の折り曲げ片４１・４１には、一組の係止孔４１ａ・４１ａを開口している。一方、ハウジング３には、一組の係合突起３１ｃ・３１ｃを設けている。そして、係合突起３１ｃに係止孔４１ａを係合して、カバー板４をハウジング３に係止している。
【００６６】
図５又は図６を参照すると、カバー板４は、片持ち状の板ばね片４１ｂを一方の折り曲げ片４１に有している。板ばね片４１ｂは、第１支持アーム２２の外側壁２２１を付勢しながらスライドできる（図２参照）。又、板ばね片４１ｂは、その先端部が外側壁２２１に設けた凹部２２ｅに陥没して（図２参照）、所定のクリック感を操作者に付与できる。
【００６７】
図５又は図６を参照すると、コンタクト５１は、固定片５ａ、弾性変形が可能な弾性斜片５ｂ、及び接点５ｃを有している。同様に、コンタクト５２は、固定片５ａ、弾性変形が可能な弾性斜片５ｂ、及び接点５ｃを有している。又、コンタクト５１の弾性斜片５ｂ及び接点５ｃは、固定片５ａから二股に分岐している。同様に、コンタクト５２の弾性斜片５ｂ及び接点５ｃは、固定片５ａから二股に分岐している。
【００６８】
図５又は図６を参照すると、コンタクト５１の固定片５ａは、ハウジング３に固定されている。コンタクト５１の固定片５ａは、その一部がハウジング３の前方に突出して、プリント基板１ｐにハンダ接合されるリード部５１ｆを形成している。
【００６９】
図５又は図６を参照すると、コンタクト５２の固定片５ａは、ハウジング３に固定されている。コンタクト５２の固定片５ａは、その一部がハウジング３の後方に突出して、プリント基板１ｐにハンダ接合されるリード部５２ｒを形成している。又、コンタクト５２の固定片５ａは、その一部がハウジング３の前方に突出して、プリント基板１ｐにハンダ接合されるリード部５２ｆを形成している。そして、リード部５１ｆとリード部５２ｆは、交互に一列に配置されている。
【００７０】
図５又は図６を参照すると、コンタクト５１とコンタクト５２とは、固定片５ａ、弾性斜片５ｂ、及び接点５ｃで構成される本体部が同じであるので、以下、コンタクト５２を代表して説明する。
【００７１】
図５を参照すると、弾性斜片５ｂは、固定片５ａから上り傾斜するように延びる弾性片となっている。又、弾性斜片５ｂは、カード１の接続端子１ｔに接触する接点５ｃを頂き部に設けている。トレイ２をハウジング３に進出させると、カード１に押されて弾性斜片５ｂが傾倒し、弾性斜片５ｂの反力（弾性復帰力）で接点５ｃが所定の接触圧をカード１の接続端子１ｔに付与することができる。
【００７２】
［トレイタイプのカード用コネクタの作用］
次に、実施形態によるコネクタ１０の動作を説明しながら、コネクタ１０の作用及び効果を説明する。
【００７３】
図１又は図５を参照すると、トレイ２を本体１０Ｂに挿入すると、複数のコンタクト５１・５２は、カード１の一方の面１１に設けた接続端子１ｔとプリント基板１ｐとを電気的に接続できる。
【００７４】
図８に示された従来のコネクタ１００と実施形態によるコネクタ１０を対比すると、コネクタ１００は、トレイ９に設けた一対の支持アーム９ａ・９ｂがカード１を保持している。そして、一対の支持アーム９ａ・９ｂの外壁がハウジング７の凹部７１の内壁に案内されて、カード１の接続端子１ｔとコンタクト７ｃの接続を可能としている（図８参照）。
【００７５】
一方、実施形態によるコネクタ１０は、第１支持アーム２２でカード１を保持し、第２支持アーム２３を逃げ部２４で実質的に削除し、逃げ部２４に露出されたカード１の他方の側縁１ｂ（図２参照）を第２案内壁３１ｂで案内する構成としたので、ハウジングの幅を縮小できる。つまり、コネクタの実装面積を縮小できるという効果がある。
【００７６】
図１から図３及び図７を参照すると、実施形態によるコネクタ１０は、カード１の他方の面１２に当接可能な一組の対向する鉤状の爪部２ａ・２ａを第１支持アーム２２及び第２支持アーム２３の後半部に有するので、カード１と共にトレイ２をコネクタ１０の本体１０Ｂから取り出しても、カード１が脱落することを防止できる。なお、カード１をトレイ２に装着する場合は、第１支持アーム２２の前縁２１ｂ側を撓ませ、第１凹部２１の底面と平行にカード１を後縁２１ａに向かって挿入することにより、カード１をトレイ２に装着できる。
【００７７】
又、図１から図３及び図７を参照すると、実施形態によるコネクタ１０は、接続端子１ｔを設けるカード１の一方の面１１がトレイ２の第１凹部２１の底面と対向するように配置される、いわゆる、ノーマルタイプのカード用コネクタにおいて、カード１の誤装着を防止できる。
【００７８】
トレイは、接続端子１ｔを設けるカード１の一方の面１１が第１凹部２１の底面と反対側に配置されるように、斜辺部１ｆに係合してカード１の装着の向きを規定する斜辺壁を第１凹部２１の後縁２１ａの隅部に有するように構成してもよく、接続端子１ｔを設けるカード１の他方の面１２がトレイ２の第１凹部２１の底面と対向するように配置される、いわゆる、リバースタイプのカード用コネクタにおいて、カード１の誤装着を防止できる。
【００７９】
図１から図４及び図７を参照すると、実施形態によるコネクタ１０は、指先などを引出用突部２ｃに係止して、カード１と共にトレイ２をコネクタ１０の本体１０Ｂから容易に引き出すことができる。
【符号の説明】
【００８０】
１  カード
１ａ  カードの一方の側縁
１ｂ  カードの他方の側縁
１ｃ  カードの後端縁
１ｄ  カードの前端縁
１ｔ  接続端子
２  トレイ
３  ハウジング
４  カバー板
１０  コネクタ（トレイタイプのカード用コネクタ）
１１  カードの一方の面
２１  第１凹部
２１ａ  第１凹部の後縁
２１ｂ  第１凹部の前縁
２２  第１支持アーム
２２ａ  第１内壁
２３  第２支持アーム
２３ｂ  第２内壁
２４  逃げ部
３１  側壁
３１ａ  第１案内壁
３１ｂ  第２案内壁
３２  第２凹部
５１・５２  コンタクト
【図１】
0005663374.tif 000002
【図２】
0005663374.tif 000003
【図３】
0005663374.tif 000004
【図４】
0005663374.tif 000005
【図５】
0005663374.tif 000006
【図６】
0005663374.tif 000007
【図７】
0005663374.tif 000008
【図８】
0005663374.tif 000009